(57)【特許請求の範囲】
【請求項１】
上下方向に延びる排出路を円筒形に組み合わせて形成したドラムの各排出路に沿って錠剤フィーダを配置して、錠剤フィーダから排出される錠剤を排出路下方に設けたホッパーへ落下させて分包装置により分包を行う錠剤分包装置において、
処方箋情報に基づいて上記錠剤フィーダを作動する制御装置と、
上記ドラムの排出路及び錠剤フィーダと別に、予備の錠剤フィーダを設け、この予備の錠剤フィーダから排出される錠剤を上記上下方向に延びる円筒形に配置した排出路を経由することなく上記ホッパーへ落下させる予備排出路を設け、
前記制御装置がドラムに配置した錠剤フィーダの錠剤が減少した際に、上記ドラムに配置した錠剤フィーダに代えて前記予備の錠剤フィーダを作動して錠剤をホッパーへ落下させることを特徴とする錠剤分包装置。
【発明の詳細な説明】
【０００１】
【産業上の利用分野】
この発明は、処方箋に基づいて錠剤の自動分包を連続して行なう錠剤分包装置に関するものである。
【０００２】
【従来の技術】
処方に基づいて錠剤の自動分包を行なう自動分包装置として例えば、図１４や図１６に示す錠剤分包装置１’がある。
【０００３】
これらの錠剤分包装置１’は、上下方向に延びる排出路２に沿って複数の錠剤フィーダ３が配置され、その各フィーダ３を制御装置が処方箋情報に基づいて作動し、フィーダ３から排出される錠剤５を排出路２下方に設けたホッパー６で収集して分包装置７で包装することにより、処方に基づく分包を行なっている。
【０００４】
即ち、図１４に示す錠剤分包装置１’では、箱型のケース８内に複数の引き出し体９を左右に組み込み、その左右に組み込まれた各引き出し体９に、前後及び上下方向に多数の錠剤フィーダ３を配置してある。
【０００５】
また、上記各引き出し体９は、上部案内装置１０及び下部案内装置１１によりスライド自在に支持され、扉１２でもって解放状態とされる開口１３から外に引き出せるようになっている。
【０００６】
上部案内装置１０は、引き出し体９の上部に前後方向に長いレールを取り付け、そのレールの両側に配置された複数のローラをケース８の天板下面に取り付けた構成とされ、一方、下部案内装置１１は引き出し体９の下部にレール取り付け台を設けるとともに、ケース８内部に上記レール取り付け台を固定し、その両レール取り付け台の対向面にスライドレールを取り付けた構成となっている。
【０００７】
また、錠剤フィーダ３は、図１５に示すように、モータベース１４とそのモータベース１４に着脱自在に取り付けられるカートリッジ容器１５とからなり、上記カートリッジ容器１５内にロータ１６を組み込み、そのロータ１６をモータベース１４に支持されたモータで回転してカートリッジ容器１５内に収納された錠剤５をロータ１６の外周に設けたポケット１７内に入り込ませ、そのポケット１７内の錠剤５をカートリッジ容器１５及び支持台に形成した排出口１８から排出路２へ一つずつ排出するようになっている。
【０００８】
また、前記各引き出し体９の排出路２は、左右の錠剤フィーダ３間に上下方向に延びており、その排出路２の下方には、ホッパー６を介して分包装置７が設けられている。
【０００９】
そのため、図示省略した制御装置が、多数の錠剤フィーダ３の中から処方箋情報に基づき、錠剤フィーダ３を作動して排出口１８から錠剤５を排出すると、排出された錠剤５は排出路２を介してホッパー６内に落下し、ホッパー６の下方に設けた分包装置７により、分包されるようになっている。
【００１０】
一方、図１６に示すものは、外側ドラム１９とその内側に組み込まれた内側ドラム２０からなり、その内側ドラム２０と外側ドラム１９とは複数の角筒体２１を円筒形に組み合わせて形成されおり、上記各角筒体２１の内側がそれぞれ排出路２となっている。また、その外側ドラム１９は、一部に軸方向の切り離し部２２を設けて内側ドラム２０が臨むようしてある。
【００１１】
この外側ドラム１９の上下には図１７に示すように、それぞれ環状板２３を取り付け、その各環状板２３をローラ２４を介して支持板２５で支持することにより、外側ドラム１９を回動自在に支持している。
【００１２】
同様に、内側ドラム２０は上下に円板２６を取り付け、この円板２６のうち上側円板２６を外側ドラム１９の上側の環状板２３に取り付けたローラ２４で支持し、下側の円板２６を外側ドラム１９の下側の環状板２３に取り付けたローラ２４で支持することにより、内側ドラム２０を回動自在に支持している。
【００１３】
これら、それぞれのドラム１９，２０の外周には、円周方向と上下方向とに図１５で示したのと同じ錠剤フィーダ３が配置されており、錠剤フイーダ３の排出口１８から通路に排出された錠剤５は、角筒体２１の外壁に形成した窓２７から排出路２に落下するようになっている。その排出路２の下端は下側の円板２６または環状板２３に形成した落下孔２８と連通し、その下方に設けたホッパー６によって落下する錠剤５を収集するようになっている。
【００１４】
そのため、図１４のものと同様に、制御装置が処方箋情報に基づいて錠剤フィーダ３を作動させると、錠剤フィーダ３から排出された錠剤５は排出路２からホッパー６に落下して収集され、ホッパー６下方に設けた分包装置７により、分包処理される。
【００１５】
ところで、これら各錠剤分包装置１’の錠剤フィーダ３への錠剤５の収容及び補充は、図１４の引き出し式のものでは、ケース８の扉１２を解放し、その解放したケース８の開口１３から、引き出し体９をケース８の外部へ引き出す。そして、その引き出した引き出し体９から錠剤フィーダ３のカートリッジ容器１５を取り外し、錠剤５の収容あるいは補充を行なう。このように錠剤５の収容あるいは補充を行なったのちは、カートリッジ容器１５を引き出し体９のモータベース１４に装着して、ケース８に戻す。
【００１６】
一方、図１６のドラム式のものでは、外側ドラム１９と内側ドラム２０とでは、錠剤フィーダ３に対する錠剤５の収容あるいは補充方法が少し異なっており、外側ドラム１９の場合は、外側ドラム１９を回転し、錠剤フィーダ３を補給可能な所定の位置まで移動させたのち、カートリッジ容器１５を取り外し、錠剤５を収容あるいは補充する。また、内側ドラム２０の場合は、内側ドラム２０を回転し、収容あるいは補充を必要とする錠剤フィーダ３を外側ドラム１９の切り離し部２２に臨む位置で停止させたのち、錠剤フィーダ３のカートリッジ容器１５を取り外し、錠剤５の収容あるいは補充を行なっている。
【００１７】
【発明が解決しようとする課題】
しかしながら、上記の錠剤分包装置では、錠剤フィーダ自体の錠剤収容数が限られ、かつ、錠剤フィーダの配置数も限られるため、以下に示すような課題がある。
【００１８】
（１）錠剤フィーダの錠剤収容数が限られるため度々錠剤切れを生じ、その際、装置を停止して補充を行なわなければならず、分包効率が悪いという問題がある。
【００１９】
即ち、図１４の引き出し式のものでは補充のために引き出し体９を引き出した際、引き出し体９の排出路２とホッパー６との位置がずれて錠剤５をホッパー６に落下させることができないため、錠剤分包装置１’を停止しなければならない問題があった。
【００２０】
一方、図１６のドラム式では、錠剤フィーダ３を取り出す際、ドラム１９，２０を回転するため、排出路２がホッパー６の周囲を回転することになる。そのため、補充のためにドラム１９，２０を移動させても、常に錠剤フィーダ３から錠剤５を排出できる状態にはあるが、補充中に錠剤フィーダ３に排出信号が出力されると、錠剤５の排出が行なえないため、錠剤分包装置１’を停止しなければならない問題があった。
【００２１】
（２）錠剤フィーダ３の配置数が限られ、しかも新薬の登場などもあるため、処方に用いる全ての種類の錠剤５を限られた錠剤分包装置１’内の錠剤フィーダ３に収容することができない問題がある。
【００２２】
そのため、処方頻度の低い錠剤５を常時装置１’内の錠剤フィーダ３に収容することができず、例えば処方の度ごとに、処方頻度の低い前記錠剤５をその処方に使用しない錠剤フィーダ３の錠剤５と入れ替えを行なって分包を行なったり、例えば図１８に示す脱着式錠剤投入機２９に錠剤５を分包数だけ手作業でセットし、ホッパー６上のスロットに装着して分包を行なっており、その際、錠剤分包装置１’を停止しなければならないため、連続分包ができず分包効率が悪いという問題がある。
【００２３】
すなわち、上記の例で示したように、複数の錠剤フィーダ３を用いた錠剤分包装置１’では、錠剤５の補充や処方頻度の低い錠剤５の分包を行なうために、錠剤分包装置１’を停止しなければならず、分包効率が低いという問題がある。
【００２４】
そこで、この発明では、分包処理の効率化を図ることを第一の技術的課題とし、処方頻度の低い錠剤の連続分包を図ることを第二の技術的課題とする。
【００２５】
【課題を解決するための手段】
上記の課題を解決するため、この発明では、上下方向に延びる排出路に沿って複数の錠剤フィーダを配置し、その各フィーダを制御装置が処方箋情報に基づいて作動し、その際排出される錠剤を排出路下方に設けたホッパーに落下させて分包装置により分包を行なう錠剤分包装置おいて、予備の錠剤フィーダとその予備の錠剤フィーダから排出された錠剤を上記ホッパーへ落下させる予備排出路を設けるとともに、上記制御装置が錠剤フィーダに錠剤が無いかあるいは減少した際に予備の錠剤フィーダを作動して錠剤を錠剤フィーダに代えて排出させる構成を採用すれば、錠剤フィーダを増設あるいは錠剤分包装置内の錠剤フィーダの一部を予備錠剤フィーダとして仮想設定することによって、予備の錠剤フィーダを設け、その予備の錠剤フィーダに錠剤を収容して、その予備の錠剤フィーダに収容した錠剤を錠剤分包装置の錠剤フィーダの錠剤が無いかあるいは減少した際に、予備の錠剤フィーダから錠剤を排出させるようにして分包処方を途切れずに連続して行なうようにできる。
【００２６】
また、このとき予備の錠剤フィーダを例えば引き出し体を収容するケースの外壁など、引き出し体を引き出すことなく錠剤を補給できる場所に配置し、その予備の錠剤フィーダに錠剤を途切れることなく補充するようにすれば、引き続き分包処理を継続して行なえる。
【００２７】
さらに、引き出し式の錠剤フィーダでは、例えば予備の錠剤フィーダを引き出し体に取り付けられた錠剤フィーダと同数とした場合は、その予備の錠剤フィーダに、補充を行なう錠剤フィーダの取り付けられた引き出し体の錠剤フィーダに収容されているのと同じ種類の錠剤を対応させて収容し、その対応させて収容した予備の錠剤フィーダを前記引き出し体の錠剤フィーダに代えて作動させるようにすれば、その間に補充を必要とする錠剤フィーダの配置された引き出し体を引き出して錠剤フィーダへの補充を行なうことができる。補充後は、引き出し体をもとに戻し、予備の錠剤フィーダに代えて、引き出し体の錠剤フィーダを作動させればよい。
【００２８】
一方、ドラム式の錠剤フィーダでは、例えば、予備の錠剤フィーダに錠剤を収容しておき、錠剤フィーダの錠剤が減少した際に予備の錠剤フィーダから錠剤を排出させている間に錠剤を補充あるいは入れ替えるようにすれば、分包処理を途切れずに連続して行なうこともできる。
【００２９】
同様に、ホッパーの上方に複数の錠剤フィーダを配置し、その各フィーダを制御装置が処方箋情報に基づいて作動し、その際、ホッパーの開口に排出される錠剤をホッパー下方に設けた分包装置により分包を行う錠剤分包装置において、上記錠剤フィーダの一部を予備の錠剤フィーダとするか、あるいは、上記錠剤フィーダをその予備の錠剤フィーダから排出された錠剤を上記ホッパーに落下させる予備排出路を設け、その予備の錠剤フィーダを上記制御装置が錠剤が無いか減少した際に作動して前記錠剤を排出させるという構成を採用すれば、錠剤フィーダの錠剤が無いかあるいは減少した場合に予備の錠剤フィーダから錠剤を排出させることにより、分包処方を途切れずに連続して行なうようにもできる。
【００３０】
その際、上記予備の錠剤フィーダに処方頻度の高い錠剤を収納し、その予備の錠剤フィーダの錠剤の排出を錠剤フィーダに錠剤が無いかあるいは減少した際に行なうという方法を行なうようにすれば、予備の錠剤フィーダに処方頻度が高く補充回数の多い錠剤を収容することにより、錠剤が減少する度合いの高い錠剤フィーダに対する予備の錠剤フィーダによる排出が行なえるので、装置を停止させる回数を少なくして分包を効率よく行なうこともができる。
【００３１】
また、上記予備の錠剤フィーダに処方頻度の低い錠剤を処方に従って入れ替えて収容し、分包を行なうという方法を採用すれば、予備の錠剤フィーダに分包中に処方が稀で、次の処方までの処方期間が長い処方頻度の低い錠剤を収容するようにして、その収容した錠剤を処方に応じて入れ替えるようにすると（処方期間が長いため入れ替えを行なっても処方には影響がない）、処方に影響を与えずに連続分包を行なうこともできる。
【００３２】
そのため、この発明では、上記の課題を解決するため、上下方向に延びる排出路を円筒形に組み合わせて形成したドラムの各排出路に沿って錠剤フィーダを配置して、錠剤フィーダから排出される錠剤を排出路下方に設けたホッパーへ落下させて分包装置により分包を行う錠剤分包装置において、上記ドラムの排出路及び錠剤フィーダと別に、予備の錠剤フィーダとその錠剤フィーダから排出される錠剤を上記ホッパーへ落下させる排出路を設けた構成を採用したのである。
【００３３】
【作用】
このように構成されるこの発明では、予備の錠剤フィーダに錠剤を収容しておき、錠剤フィーダの錠剤が減少した際に予備の錠剤フィーダから錠剤を排出させている間に錠剤を補充あるいは入れ替えるようにすれば、分包処理を途切れずに連続して行なうことできる。
【００３４】
また、例えば、予備の錠剤フィーダに処方頻度が高く補充回数の多い錠剤を収容すれば、錠剤が減少する度合いの高い錠剤フィーダに対する予備の錠剤フィーダによる排出が行なえるので、装置を停止させる回数を少なくして分包を効率よく行なうことができる。
【００３５】
また、逆に、予備の錠剤フィーダに分包中に処方が稀で、次の処方までの処方期間が長い処方頻度の低い錠剤を収容するようにして、その収容した錠剤を処方に応じて入れ替えるようにすれば（処方期間が長いため入れ替えを行なっても処方には影響がない）、処方に影響を与えずに分包効率を向上させることができる。
【００３６】
【実施の形態】
以下、この発明の実施の形態を図面に基づいて説明する。
【００３７】
なお、その際、従来例で説明した部材については、図面に同一符号を付して説明を省略することとする。
【００３８】
図１に、第１実施形態として引き出し式の錠剤分包装置１を示す。
【００３９】
この分包装置１は、従来例で述べた引き出し式の錠剤分包装置１’に予備の錠剤フィーダ３０と予備排出路３１を設けたものである。この場合、予備の錠剤フィーダ３０は、モータベース１４がケース８側面に取り付けられ、カートリッジ容器１５がケース８内の引き出し体９を引き出すことなく着脱できるようになっており、各予備の錠剤フィーダ３０から排出される錠剤５は、ケース８を貫通させて設けた予備排出路３１からホッパー６内に排出されるようになっている。
【００４０】
また、予備の錠剤フィーダ３０は、収納した錠剤５の種類を制御装置が識別する手段として図２（ａ）に示すように、モータベース１４側に複数の光センサ３２を一列に配置した読み取り手段を設け、カートリッジ容器１５に、図２（ｂ）の底面図に示すように錠剤名をマークとスペースとにより２進コード化した標識３３を貼り付けた表示手段を設けて、カートリッジ容器１５をモータベース１４に取り付けると標識３３と光センサ３２とが対向して標識３３のデータを読み取ることができるようになっている。この読み取り手段の光センサ３２はインターフェイスを介して図３のブロック図に示すように制御装置４と接続されており、読み取ったデータが制御装置４に入力されるようになっている。
【００４１】
制御装置４は、処方データを入力するキーボードなどの入力手段３４と、その入力手段３４によって入力される処方箋情報に基づいて分包プログラムを実行する演算処理部３５と、各錠剤フィーダ３，３０の錠剤５の残量や分包状況を表示するディスプレイ３６とからなっている。
【００４２】
演算処理部３５は、各錠剤フィーダ３，３０ごとに錠剤５の残量を計数する残量カウンタ用のレジスタを有し、その各残量カウンタは各錠剤フィーダ３の排出口１８に設けた検出手段が錠剤５の排出を検出すると減算するようになっている。
【００４３】
また、その各残量カウンタへの各錠剤フィーダ３の錠剤５の収容数の設定は、錠剤５の１錠当たりの重量が種類ごとに決まっていることから、種類ごとの錠剤１錠当たりの重量のデータテーブルを演算処理部３５が有することにより、その重量を測定して入力手段３４から入力すると、入力された重量を演算処理部３５がデータテーブルから読み出した１錠当たりの重量データで除して自動的に算出する。このとき、算出のための錠剤５の１錠当たりの重量データは、認識手段によって読み取られる錠剤名を用いて前記データテーブルから自動的に読み出されるようになっている。
【００４４】
こうして制御装置４は、各錠剤フィーダ３の錠剤５の収容数を監視し、収容数があらかじめ設定された個数まで減少すると、後述するように、錠剤フィーダ３を用いて処方を行なう分包処理プログラムから、予備の錠剤フィーダ３０に制御を移す割り込み処理プログラムを実行し、減少した錠剤フィーダ３に代えて予備の錠剤フィーダ３０から錠剤５の排出を行なって分包を行なう。
【００４５】
なお、実施例では識別手段として光センサ３２と標識３３とを用いたものを示したが、これに限定されることはなく、例えば、ホール素子と磁石の有無、リードリレーと磁石の有無、磁気ヘッドと磁気テープなどの磁気を使ったものやバーコードを使ったもの、発信機とトランスポンダ、接点スイッチとそのスイッチを作動させる突起とを組み合わせたものなどを使用することができる。
【００４６】
この実施例は以上のように構成されており、次にその動作を説明することにより、連続分包方法を説明することとする。
【００４７】
錠剤分包装置１は、各錠剤フィーダ３のカートリッジ容器１５に、処方に必要な錠剤５をそれぞれ収容し装着する。その際、カートリッジ容器１５には錠剤名を表示する標識３３を貼り付ける。また、このとき、カートリッジ容器１５の重量を測定し、その重量を入力手段３４から各錠剤フィーダ３へ収容した錠剤名とともに入力し、登録する。この登録は、ディスプレイ３６に、例えば図４に示すように操作手順及び操作メニューを表示し、また、各錠剤フィーダ３に対応した符号を表示させるようにして、その表示に従って入力できるようにすれば、登録作業が容易にできる。
【００４８】
錠剤フィーダ３に錠剤５の収容作業が済むと、入力手段３４から処方情報を処方箋に従って入力し、錠剤分包装置１に分包を開始させる。すると、制御装置４は図５に示すような分包処理プログラムを起動して処方箋情報に従って各錠剤フィーダ３を作動し、錠剤フィーダ３の排出口１８から排出される錠剤５を排出路２から共通のホッパー６内に落下させて、ホッパー６の下方に設けた分包装置７によって分包を開始する。
【００４９】
このとき、制御装置４は各錠剤フィーダ３の錠剤５の減少数を監視しており、錠剤フィーダ３内の錠剤５が、あらかじめ設定された収容個数まで減少すると、減少した錠剤フィーダ３の符号をディスプレイ３６に錠剤名とともに表示する。
【００５０】
そのため、その表示された錠剤５を入れたカートリッジ容器１５に、その錠剤名の標識３３を貼り付けて予備の錠剤フィーダ３０のモータベース１４に装着すると、制御装置４が認識手段により、カートリッジ容器１５が装着されたことと、錠剤名とを読取り、割り込み処理プログラムを実行して予備の錠剤フィーダ３０を作動し、錠剤５の排出を行なうので、錠剤分包装置１を停止させることなく分包を行なうことができる。
【００５１】
ところで、このようにして予備の錠剤フィーダ３０を用いた分包中に、予備の錠剤フィーダ３０の錠剤５数が減少すると、他の予備の錠剤フィーダ３０が空いている場合は、その予備の錠剤フィーダ３０に錠剤５を入れたカートリッジ容器１５を装着すればよいが、空いていない場合は、直接カートリッジ容器１５に錠剤５を投入するようにすれば、分包を継続させることができる。
【００５２】
このように、この装置１では、引き出し体９を引き出すことなく錠剤５を補充することができるので、錠剤５の分包を継続させることができる。このため、予備の錠剤フィーダ３０の配置数を多くすることにより、長時間にわたって連続して分包を行える。
【００５３】
また、この際、処方頻度の高い錠剤を収容している錠剤フィーダ３が先に空になることから、予備の錠剤フィーダ３０に、処方頻度の高い錠剤をあらかじめ収容したカートリッジ容器１５を装着しておくことにより、以下に示すように、効率よく補充動作を行なうことができる。
【００５４】
すなわち、錠剤分包装置１内の処方頻度の高い錠剤５を予備の錠剤フィーダ３０に収容し、最初から予備の錠剤フィーダ３０でもって処方頻度の高い錠剤５を供給するようにすれば、補充などが簡単にできるので、その空いた錠剤フィーダ３を他の錠剤５の処方に振り向ければ、処方できる錠剤５の種類を増やしたり、あるいはその錠剤フィーダ３をケース８内から取り外すことによって錠剤分包装置１の小型化を図ることができる。
【００５５】
一方、予備の錠剤フィーダ３０は錠剤フィーダ３に収容されていない処方頻度の低い錠剤５を収容することにより、以下のような使用方法もできる。
【００５６】
すなわち、この場合は、錠剤名を表示した標識３３を貼り付けた処方頻度の低い錠剤５を入れたカートリッジ容器１５を準備し、このカートリッジ容器１５を処方に合わせて予備の錠剤フィーダ３０のモータベース１４に装着すると、制御装置４が錠剤名を読取り、その錠剤５が錠剤分包装置１内の錠剤フィーダ３に収容されていることが登録されてないと、割り込み処理プログラムを起動して予備の錠剤フィーダ３０に制御を移して錠剤５を排出させるので、分包を連続して行なうことができる。
【００５７】
また、このような処方頻度の低い錠剤５の種類が複数ある場合は、処方が稀にしかなく、その処方が行なわれている間は制御が錠剤フィーダ３の方へ移っているので、その間に、予備の錠剤フィーダ３０の錠剤５を他の錠剤５と入れ替えて錠剤５の分包を行なわせるようにすれば、連続して分包を行なうことができる。
【００５８】
このため、予備の錠剤フィーダ３０の数を増やさずに、処方できる錠剤５の種類を増加させることが可能となり、錠剤分包装置１の小型化を図ることもできる。
【００５９】
このとき、処方する錠剤５の種類に合わせて錠剤５を入れたカートリッジ容器１５を複数準備して取り替えるようにすれば、より簡単に分包処理を行なうことができる。
【００６０】
因みに、上記実施形態では、制御装置４が錠剤分包装置１内の錠剤フィーダ３の錠剤５の減少を検出すると、予備の錠剤フィーダ３０を作動して錠剤５を排出するものについて述べたが、この方法以外にも、例えば予備の錠剤フィーダ３０の表示手段の標識３３に錠剤名などのデータに加えて、錠剤分包装置１内の錠剤フィーダ３よりも予備の錠剤フィーダ３０の排出を優先するプライオリティ（優先順位）データを付与するようにすれば、そのデータの付与された予備のカートリッジ容器１５を装着すると、その装着した予備のカートリッジ容器１５から錠剤５が排出され、その予備のカートリッジ容器１５から排出される錠剤５を排出している錠剤分包装置１内の錠剤フィーダ３の作動を停止することができるので、その作動を停止した前記錠剤フィーダ３に錠剤を補充することができる。このため、このプライオリティデータを利用すると、オペレータが何時でも好きな錠剤フィーダ３に錠剤５を補充できる。
【００６１】
図６乃至図９に第２乃至第５実施形態として上記の実施形態の他の態様を示す。
【００６２】
図６に示す第２実施形態のものは、引き出し体９の前面に予備の錠剤フィーダ３０と予備排出路３１を設けたものである。また、図７に示す第３実施形態ものは、ケース８の側面に開口１３を設け、その開口１３に扉１２を設けて中の引き出し体９の錠剤フィーダ３を外から臨めるようにし、その臨めるようにした引き出し体９の錠剤フィーダ３の一部を、予備の錠剤フィーダ３０としたものである。
【００６３】
図８に第４実施形態として４つある引き出し体の一つを予備の錠剤フィーダとしたものを示す。ここで、第４実施形態については、第２及び第３実施形態と異なり、一つの引き出し体９全てを予備の錠剤フィーダ３０としたのでその使用方法を説明することにする。
【００６４】
なお、このとき、予備の錠剤フィーダ３０及び制御装置４については、第１実施形態と同じであるのでその説明は省略することにする。
【００６５】
この錠剤分包装置１では例えば、分包中にディスプレイ３６に錠剤数の減少した錠剤フィーダ３が表示されると、予備の錠剤フィーダ３０の取り付けられた引き出し体９を引き出す。次に、その引き出した引き出し体９のそれぞれの予備の錠剤フィーダ３０にディスプレイ３６に表示された錠剤フィーダ３の取り付けられた引き出し体９の錠剤フィーダ３と同じ種類の錠剤５を収容し、ケース８内に戻す。そして、制御装置４によって予備の錠剤フィーダ３０から錠剤５の排出を行なわせて、その間に、錠剤５の減少した補充を行なうべき錠剤フィーダ３の取り付けられた引き出し体９を引き出して錠剤５の補充を行なう。補充が済むと補充を行なった引き出し体９を再びケース８に戻し、入力手段３４から、補充した錠剤５の重量データを入力し、その入力装置によって予備の錠剤フィーダ３０の取り付けられた引き出し体９に代えて補充を行なった引き出し体９から錠剤５を排出させる。この操作を繰り返すことにより、連続して分包を行なうことができる。
【００６６】
また、この錠剤分包装置１においても、第１実施形態の場合と同様に、予備の錠剤フィーダ３０は錠剤フィーダ３に収容されていない処方頻度の低い錠剤５の分包にも使用することができる。この場合も、錠剤名を表示した標識３３を貼り付けた処方頻度の低い錠剤５を入れたカートリッジ容器１５を準備し、このカートリッジ容器１５を処方に合わせて予備の錠剤フィーダ３０のモータベース１４に装着するようにすれば、制御装置４がケース８内の錠剤フィーダ３に処方の錠剤５が登録されていないと、割り込みプログラムを起動して予備の錠剤フィーダ３０に制御を移して錠剤５を排出させるので、分包が連続して行なえる。また、このとき、処方が稀にしかないため、制御が錠剤フィーダの方へ移っている間に他の錠剤５と入れ替えて錠剤５の分包を行なうようにすれば、多品種の錠剤５を連続して分包することができる。
【００６７】
図９に第５実施形態として第４実施形態の他の態様を示す。
【００６８】
このものは、ケース８の側面に引き出し体９の錠剤フィーダ３と同数の予備の錠剤フィーダ３０を設けるようにしたもので、ケース８内の引き出し体９を全て錠剤５の処方に用いることができるので、処方できる錠剤５の種類を多くできる。他の構成については第４実施形態と同じであるので説明を省略する。
【００６９】
図１０に第６実施形態としてドラム式の錠剤分包装置１を示す。
【００７０】
このものの場合、錠剤フィーダ３を取り付けた筒状ドラム１９，２０がホッパー６の円周に沿って配置されていることから、排出中に作動していない錠剤フィーダ３のカートリッジ容器１５を脱着しても分包に支障をきたさないため、錠剤フィーダ３の一部を予備のフィーダ３０としたものである。
【００７１】
このものでは、錠剤フィーダ３の錠剤５が減少したことがディスプレイ３６に表示されると、その表示された錠剤名と同じ錠剤５を入れたカートリッジ容器１５を予備の錠剤フィーダ３０のモータベース１４に装着し、この予備の錠剤フィーダ３０を作動させてその間に錠剤５の減少した錠剤フィーダ３に錠剤５の補充を行なう。その際、錠剤フィーダ３及び制御装置４は第１実施形態のものと同じであり、カートリッジ容器１５に錠剤名の標識３３を貼り付けたものを用いるようにすれば、制御装置４が割り込み処理プログラムを自動的に実行して予備の錠剤フィーダ３０からの排出を行なうことができる。また、補充の終わったカートリッジ容器１５を錠剤フィーダ３に装着した際は、その重量データを入力手段３４から入力して、予備の錠剤フィーダ３０に代えて、錠剤フィーダ３から錠剤の排出を行なわせる。
【００７２】
一方、この錠剤分包装置１においても、第１実施形態の場合と同様に、前記予備の錠剤フィーダ３０は錠剤分包装置１内の錠剤フィーダ３に収容されていない処方頻度の低い錠剤５の分包にも使用することができる。
【００７３】
この場合も、錠剤名を表示した標識３３を貼り付けた処方頻度の低い錠剤５を入れたカートリッジ容器１５を準備し、このカートリッジ容器１５を処方に合わせて予備の錠剤フィーダ３０のモータベース１４に装着するようにすれば、制御装置４が装置１内の錠剤フィーダ３に処方の錠剤５が登録されていないと、割り込みプログラムを起動して予備の錠剤フィーダ３０に制御を移して錠剤５を排出させるので、分包が連続して行なえる。
【００７４】
また、そのとき、処方が稀にしかないので、制御が錠剤フィーダ３の方へ移っている間に他の錠剤５と入れ替えて錠剤５の分包を行なうようにすれば多数の異なる錠剤５の分包を行なうことができる。
【００７５】
図１１に第７実施形態として第６実施例の他の態様を示す。
【００７６】
この分包装置１は、従来例で述べたドラム式の錠剤分包装置１’に予備の錠剤フィーダ３０と予備排出路３１を設けたものである。この場合、予備の錠剤フィーダ３０は、図１１に示すように、外側ドラム１９の外側に予備フィーダスペースを設けて、そのスペースに予備排出路３１とともに設けてあり、各予備錠剤フィーダ３０から排出された錠剤は、ケースを貫通させた予備排出路３０によって、ホッパー６内に排出されるようになっている。
【００７７】
他の構成及び作用については第６実施形態と同じなので説明を省略することとする。
【００７８】
図１２に第８実施形態の錠剤分包装置１を示す。
【００７９】
この錠剤分包装置１は、図１２に示すように、ケース８に仕切り板により区分けされたフィーダ収納部５０を設け、その収納部５０によってホッパー６の上方に予備の錠剤フィーダ３０を含む複数の錠剤フィーダ３、３０を配置したもので、この形態では、図１３に示すように、手前の一列を予備の錠剤フィーダ３０としてある。
【００８０】
各錠剤フィーダ３、３０は、第１実施形態で述べたのと同様に、モータベース１４とカートリッジ容器１５とからなっており、これらの錠剤フィーダ３、３０は、その形状を細長いスリムな形状に形成し、前記フィーダ３、３０をホッパー６上に多数配置できるようにして、多種類の錠剤５を分包できるようにしてある。また、このように配置された錠剤フィーダ３、３０は、ケース８内の制御装置（図示せず）と接続され、制御装置が第１実施形態と同様に、処方箋情報に基づいて各錠剤フィーダ３、３０を作動するようになっている。
【００８１】
一方、ホッパー６の下方には、分包装置７が設けられ、その分包装置７で、錠剤フィーダ３、３０からホッパー６の開口に排出された錠剤５を分包するようになっており、この形態では長方形状に形成されたホッパー６の排出口にコンベア５１を設けて錠剤５を中央の分包装置７に搬送するようになっている。
【００８２】
このため、この実施形態では、第１実施形態で述べたのと同様に、制御装置が予備の錠剤フィーダ３０を制御すると、連続分包方法を行なうことができるようになっており、そのため、その説明は省略することにする。
【００８３】
また、この錠剤分包装置１の他の態様として、予備の錠剤フィーダ３０を図１２の鎖線に示すようにケース８の側部に設け、そのケース８の側部の予備の錠剤フィーダ３０から排出された錠剤５をケース８を貫通して上記ホッパー６に落下させる予備排出路３１を設けたものを示す。
【００８４】
他の構成及び作用効果については、第８実施形態と同じであるので、その説明は省略することにする。
【００８５】
【効果】
この発明は以上のように構成し、予備の錠剤フィーダと予備排出路とを設けることによって、錠剤フィーダの錠剤が減少した際に、分包中の装置を止めることなく錠剤の補充を行なって錠剤の連続分包を行なうことができる。このため、分包効率を向上させることができる。
【００８６】
また、予備の錠剤フィーダの数を増やさずに処方できる錠剤の種類を増やすことができるので、錠剤ごとに錠剤フィーダを設置せずに多品種の錠剤を分包できるので、装置の小型化を図ることができる。
【００８７】
また、補給の容易な予備の錠剤フィーダを処方頻度の高い薬剤あるいは、低い薬剤の排出に用いるようにすれば、分包効率を向上させることができる。
【００８８】
ちなみに、引き出し式の錠剤分包装置において、予備の錠剤フィーダでもって処方頻度の高い錠剤の供給を行うようにすれば、装置内の錠剤フィーダを他の錠剤の処方に振り向けて、処方できる錠剤の種類を増やしたり、前記錠剤フィーダを装置から取り外して装置の小型化を図ることができる。
【００８９】
また、予備の錠剤フィーダの数を増やさずに処方できる錠剤の種類を増やすこともできるので、錠剤ごとに錠剤フィーダを設置せずに多品種の錠剤を分包できる。よって、装置の小型化を図ることもできる。
【図面の簡単な説明】
【図１】第１実施形態の斜視図
【図２】錠剤フィーダの分解斜視図
【図３】制御装置のブロック図
【図４】表示装置の表示画面の作用説明図
【図５】分包処理プログラムのフロー図
【図６】第２実施形態の斜視図
【図７】第３実施形態の斜視図
【図８】第４実施形態の斜視図
【図９】第５実施形態の斜視図
【図１０】第６実施形態の斜視図
【図１１】第７実施形態の縦断面図
【図１２】第８実施形態の斜視図
【図１３】第８実施形態の内部構造を説明するための模式図
【図１４】従来の引き出し式錠剤分包装置の正面図
【図１５】錠剤フィーダの縦断面図
【図１６】従来のドラム式錠剤分包装置の斜視図
【図１７】従来のドラム式錠剤分包装置の縦断面図
【図１８】脱着式錠剤投入機の斜視図
【符号の説明】
１  錠剤分包装置
２  排出路
３  錠剤フィーダ
６  ホッパー
７  分包装置
３０  予備の錠剤フィーダ
３１  予備排出路
【図１】
0003784772.tif 000002
【図２】
0003784772.tif 000003
【図３】
0003784772.tif 000004
【図４】
0003784772.tif 000005
【図５】
0003784772.tif 000006
【図６】
0003784772.tif 000007
【図７】
0003784772.tif 000008
【図８】
0003784772.tif 000009
【図９】
0003784772.tif 000010
【図１０】
0003784772.tif 000011
【図１１】
0003784772.tif 000012
【図１２】
0003784772.tif 000013
【図１３】
0003784772.tif 000014
【図１４】
0003784772.tif 000015
【図１５】
0003784772.tif 000016
【図１６】
0003784772.tif 000017
【図１７】
0003784772.tif 000018
【図１８】
0003784772.tif 000019